(57)【要約】【課題】設計における評価の遅れや漏れを防止することが可能な評価進捗管理装置、評価進捗管理プログラム及び評価進捗管理方法を提供することを目的とする。【解決手段】設計の各フェーズにおいて、評価項目に対して使用するツール、設計対象の仕様、評価を行う部品を設定し、部品別やフェーズ・ツール別のマトリクスを用いて評価項目の確認や評価結果の入力を可能とし、各評価項目に対する評価進捗を出力すると共に、他の設計対象の進捗状況や目標となる進捗状況との比較結果を出力する。【選択図】図１
2007233799.tif 000002
【特許請求の範囲】
【請求項１】
評価する項目を示す評価項目に対して評価を行うためのツールを設定するツール設定手段と、
所定のツールによる前記評価項目を確認するために該所定のツールを指定するツール指定手段と、
前記指定されたツールに基づいてツール別の評価項目のマトリクスを出力するツール別マトリクス出力手段と、
前記出力されたツール別の評価項目のマトリクスに対する該評価項目に対する評価を行った結果が入力されるツール別評価結果入力手段と、
前記評価項目に対して評価を行う部品を設定する部品設定手段と、
所定の部品による前記評価項目を確認するために該所定の部品を指定する部品指定手段と、
前記指定された部品に基づいて部品別の評価項目のマトリクスを出力する部品別マトリクス出力手段と、
前記出力された部品別の評価項目のマトリクスに対する該評価項目に対する評価を行った結果が入力される部品別評価結果入力手段と、
前記評価項目に対する評価結果を出力する全体評価状況マトリクス出力手段と、
前記設計における評価の進捗状況を、目標となる進捗状況又は他の設計対象の進捗状況と比較して出力する進捗比較出力手段とを備える評価進捗管理装置。
【請求項２】
前記ツール設定手段が、前記設計の各フェーズ別に、評価を行うためのツールを設定し、
前記ツール指定手段が、所定のフェーズ及び所定のツールによる前記評価項目を確認するための該所定のフェーズ及び所定のツールを指定し、
前記ツール別マトリクス出力手段が、前記指定された所定のフェーズ及び所定のツールに基づいてフェーズ及びツール別の評価項目のマトリクスを出力し、
前記ツール別評価結果入力手段に、前記出力されたフェーズ及びツール別の評価項目のマトリクスに対する該評価項目に対する評価を行った結果が入力される請求項１記載の評価進捗管理装置。
【請求項３】
コンピュータを、
評価する項目を示す評価項目に対して評価を行うためのツールを設定するツール設定手段、
所定のツールによる前記評価項目を確認するために該所定のツールを指定するツール指定手段、
前記指定されたツールに基づいてツール別の評価項目のマトリクスを出力するツール別マトリクス出力手段、
前記出力されたツール別の評価項目のマトリクスに対する該評価項目に対する評価を行った結果が入力されるツール別評価結果入力手段、
前記評価項目に対して評価を行う部品を設定する部品設定手段、
所定の部品による前記評価項目を確認するために該所定の部品を指定する部品指定手段、
前記指定された部品に基づいて部品別の評価項目のマトリクスを出力する部品別マトリクス出力手段、
前記出力された部品別の評価項目のマトリクスに対する該評価項目に対する評価を行った結果が入力される部品別評価結果入力手段、
前記評価項目に対する評価結果を出力する全体評価状況マトリクス出力手段、及び、
前記設計における評価の進捗状況を、目標となる進捗状況又は他の設計対象の進捗状況と比較して出力する進捗比較出力手段として機能させるための評価進捗管理プログラム。
【請求項４】
前記ツール設定手段が、前記設計の各フェーズ別に、評価を行うためのツールを設定し、
前記ツール指定手段が、所定のフェーズ及び所定のツールによる前記評価項目を確認するための該所定のフェーズ及び所定のツールを指定し、
前記ツール別マトリクス出力手段が、前記指定された所定のフェーズ及び所定のツールに基づいてフェーズ及びツール別の評価項目のマトリクスを出力し、
前記ツール別評価結果入力手段に、前記出力されたフェーズ及びツール別の評価項目のマトリクスに対する該評価項目に対する評価を行った結果が入力される請求項３記載の評価進捗管理プログラム。
【請求項５】
ツール設定手段が、評価する項目を示す評価項目に対して評価を行うためのツールを設定するツール設定工程と、
ツール指定手段が、所定のツールによる前記評価項目を確認するために該所定のツールを指定するツール指定工程と、
ツール別マトリクス出力手段が、前記指定されたツールに基づいてツール別の評価項目のマトリクスを出力するツール別マトリクス出力工程と、
ツール別評価結果入力手段に、前記出力されたツール別の評価項目のマトリクスに対する該評価項目に対する評価を行った結果が入力されるツール別評価結果入力工程と、
部品設定手段が、前記評価項目に対して評価を行う部品を設定する部品設定工程と、
部品指定手段が、所定の部品による前記評価項目を確認するために該所定の部品を指定する部品指定工程と、
部品別マトリクス出力手段が、前記指定された部品に基づいて部品別の評価項目のマトリクスを出力する部品別マトリクス出力工程と、
部品別評価結果入力手段に、前記出力された部品別の評価項目のマトリクスに対する該評価項目に対する評価を行った結果が入力される部品別評価結果入力工程と、
全体評価状況マトリクス出力手段が、前記評価項目に対する評価結果を出力する全体評価状況マトリクス出力工程と、
進捗比較出力手段が、前記設計における評価の進捗状況を、目標となる進捗状況又は他の設計対象の進捗状況と比較して出力する進捗比較出力工程とを備える評価進捗管理方法。
【請求項６】
前記ツール設定手段が、前記ツール設定工程において、前記設計の各フェーズ別に、評価を行うためのツールを設定し、
前記ツール指定手段が、前記ツール指定工程において、所定のフェーズ及び所定のツールによる前記評価項目を確認するための該所定のフェーズ及び所定のツールを指定し、
前記ツール別マトリクス出力手段が、前記ツール別マトリクス出力工程において、前記指定された所定のフェーズ及び所定のツールに基づいてフェーズ及びツール別の評価項目のマトリクスを出力し、
前記ツール別評価結果入力手段が、前記ツール別評価結果入力工程において、前記出力されたフェーズ及びツール別の評価項目のマトリクスに対する該評価項目に対する評価を行った結果が入力される請求項５記載の評価進捗管理方法。
【発明の詳細な説明】
【技術分野】
【０００１】
本発明は、車両などの設計における各評価項目の評価の進捗状況を管理する評価進捗管理装置、評価進捗管理プログラム及び評価進捗管理方法に関する。
【背景技術】
【０００２】
従来、車両などを設計する場合、例えば異音の有無や耐熱性などの、設計の各段階（以下、フェーズとも記す）において評価する項目を評価項目として設定し、設計作業の進捗や設計の達成度を管理していた。このような設計の各フェーズの評価項目に対する評価や進捗状況を管理することを評価進捗管理という。
【０００３】
例えば、特許文献１に記載の技術は、製品を構成する部品を部品固有情報により部品データベースにおいて管理し、各部品の評価情報を部品評価データベースにおいて管理し、これらそれぞれのデータベースにおいて管理される情報に基づいて部品の評価レベルを判定するとしている。
【特許文献１】特開２００５−３８１２６号公報
【特許文献２】特開２００５−３８１２８号公報
【特許文献３】特開平８−３６５９５号公報
【発明の開示】
【発明が解決しようとする課題】
【０００４】
しかし、開発段階の設計では、評価項目は多岐にわたる。特に車両の設計においては評価項目の多さは顕著である。また、評価項目として多数の部品が関係する場合があり、評価項目における評価も、部品単体で実施する場合や車両全体で実施する場合など、その実施する形態も様々である。
【０００５】
さらに、最近の設計では短期間で開発を行う必要があり、そのため、確実に設計対象の品質を向上させて、開発の各フェーズにおける各評価項目の評価を円滑に行う必要がある。しかし、評価項目が多岐にわたり、評価方法も様々であり、評価時間も短期であるため、評価の遅れや、評価したか否かの確認漏れなどが発生している。これらの事情から、従来の技術では開発の各フェーズにおける評価項目が多様であるため、効率的な評価を行うことができないという問題点を有している。
【０００６】
また、前述の特許文献１に記載の技術では、部品別の評価の確認は行われているものの、開発のフェーズに応じて確認すべきレベル（評価内容）が変わっているのに対してフェーズに関わらず一様な確認を行っているため、開発の初期にも多岐にわたる確認が要求されることとなり、効率的な開発を行うことができないという問題点を有している。
【０００７】
本発明は上記事情に鑑みてなされたもので、設計における評価の遅れや漏れを防止することが可能な評価進捗管理装置、評価進捗管理プログラム及び評価進捗管理方法を提供することを目的とする。
【課題を解決するための手段】
【０００８】
本発明の評価進捗管理装置は、評価する項目を示す評価項目に対して評価を行うためのツールを設定するツール設定手段と、所定のツールによる前記評価項目を確認するために該所定のツールを指定するツール指定手段と、前記指定されたツールに基づいてツール別の評価項目のマトリクスを出力するツール別マトリクス出力手段と、前記出力されたツール別の評価項目のマトリクスに対する該評価項目に対する評価を行った結果が入力される
ツール別評価結果入力手段と、前記評価項目に対して評価を行う部品を設定する部品設定手段と、所定の部品による前記評価項目を確認するために該所定の部品を指定する部品指定手段と、前記指定された部品に基づいて部品別の評価項目のマトリクスを出力する部品別マトリクス出力手段と、前記出力された部品別の評価項目のマトリクスに対する該評価項目に対する評価を行った結果が入力される部品別評価結果入力手段と、前記評価項目に対する評価結果を出力する全体評価状況マトリクス出力手段と、前記設計における評価の進捗状況を、目標となる進捗状況又は他の設計対象の進捗状況と比較して出力する進捗比較出力手段とを備える。
【０００９】
また、本発明の評価進捗管理装置は、前記ツール設定手段が、前記設計の各フェーズ別に、評価を行うためのツールを設定し、前記ツール指定手段が、所定のフェーズ及び所定のツールによる前記評価項目を確認するための該所定のフェーズ及び所定のツールを指定し、前記ツール別マトリクス出力手段が、前記指定された所定のフェーズ及び所定のツールに基づいてフェーズ及びツール別の評価項目のマトリクスを出力し、前記ツール別評価結果入力手段に、前記出力されたフェーズ及びツール別の評価項目のマトリクスに対する該評価項目に対する評価を行った結果が入力される。
【００１０】
また、本発明の評価進捗管理プログラムは、コンピュータを、評価する項目を示す評価項目に対して評価を行うためのツールを設定するツール設定手段、所定のツールによる前記評価項目を確認するために該所定のツールを指定するツール指定手段、前記指定されたツールに基づいてツール別の評価項目のマトリクスを出力するツール別マトリクス出力手段、前記出力されたツール別の評価項目のマトリクスに対する該評価項目に対する評価を行った結果が入力されるツール別評価結果入力手段、前記評価項目に対して評価を行う部品を設定する部品設定手段、所定の部品による前記評価項目を確認するために該所定の部品を指定する部品指定手段、前記指定された部品に基づいて部品別の評価項目のマトリクスを出力する部品別マトリクス出力手段、前記出力された部品別の評価項目のマトリクスに対する該評価項目に対する評価を行った結果が入力される部品別評価結果入力手段、前記評価項目に対する評価結果を出力する全体評価状況マトリクス出力手段、及び、前記設計における評価の進捗状況を、目標となる進捗状況又は他の設計対象の進捗状況と比較して出力する進捗比較出力手段として機能させる。
【００１１】
また、本発明の評価進捗管理プログラムは、前記ツール設定手段が、前記設計の各フェーズ別に、評価を行うためのツールを設定し、前記ツール指定手段が、所定のフェーズ及び所定のツールによる前記評価項目を確認するための該所定のフェーズ及び所定のツールを指定し、前記ツール別マトリクス出力手段が、前記指定された所定のフェーズ及び所定のツールに基づいてフェーズ及びツール別の評価項目のマトリクスを出力し、前記ツール別評価結果入力手段に、前記出力されたフェーズ及びツール別の評価項目のマトリクスに対する該評価項目に対する評価を行った結果が入力される。
【００１２】
また、本発明の評価進捗管理方法は、ツール設定手段が、評価する項目を示す評価項目に対して評価を行うためのツールを設定するツール設定工程と、ツール指定手段が、所定のツールによる前記評価項目を確認するために該所定のツールを指定するツール指定工程と、ツール別マトリクス出力手段が、前記指定されたツールに基づいてツール別の評価項目のマトリクスを出力するツール別マトリクス出力工程と、ツール別評価結果入力手段に、前記出力されたツール別の評価項目のマトリクスに対する該評価項目に対する評価を行った結果が入力されるツール別評価結果入力工程と、部品設定手段が、前記評価項目に対して評価を行う部品を設定する部品設定工程と、部品指定手段が、所定の部品による前記評価項目を確認するために該所定の部品を指定する部品指定工程と、部品別マトリクス出力手段が、前記指定された部品に基づいて部品別の評価項目のマトリクスを出力する部品別マトリクス出力工程と、部品別評価結果入力手段に、前記出力された部品別の評価項目
のマトリクスに対する該評価項目に対する評価を行った結果が入力される部品別評価結果入力工程と、全体評価状況マトリクス出力手段が、前記評価項目に対する評価結果を出力する全体評価状況マトリクス出力工程と、進捗比較出力手段が、前記設計における評価の進捗状況を、目標となる進捗状況又は他の設計対象の進捗状況と比較して出力する進捗比較出力工程とを備える。
【００１３】
また、本発明の評価進捗管理方法は、前記ツール設定手段が、前記ツール設定工程において、前記設計の各フェーズ別に、評価を行うためのツールを設定し、前記ツール指定手段が、前記ツール指定工程において、所定のフェーズ及び所定のツールによる前記評価項目を確認するための該所定のフェーズ及び所定のツールを指定し、前記ツール別マトリクス出力手段が、前記ツール別マトリクス出力工程において、前記指定された所定のフェーズ及び所定のツールに基づいてフェーズ及びツール別の評価項目のマトリクスを出力し、前記ツール別評価結果入力手段が、前記ツール別評価結果入力工程において、前記出力されたフェーズ及びツール別の評価項目のマトリクスに対する該評価項目に対する評価を行った結果が入力される。
【発明の効果】
【００１４】
このように、本発明によれば、設計において必要となる、各評価項目に対して評価に使用するツールや、評価を行う部品を設定し、利用者により指定された所定のツール別の評価項目のマトリクスが表示され、このマトリクスに評価結果が入力されると共に、利用者により指定された所定の部品別に評価項目のマトリクスが表示され、このマトリクスに評価結果が入力されるため、所定のツール別又は所定の部品別に評価項目の確認が容易となり、評価項目の評価の遅れや漏れを防止することができ、さらに、設計における評価の進捗状況を、目標となる進捗状況又は他の設計対象の進捗状況と比較して表示するため、設計の進捗状況について他の設計対象との比較を行うことができ、設計における評価の遅れや漏れを防止することができる。
【００１５】
また、本発明によれば、ツールの設定をフェーズ別に行うことにより、フェーズ・ツール別の評価項目のマトリクスが表示されることとなり、利用者は現在のフェーズにおいて評価項目の評価に使用するツールの確認や、このツールによる評価項目の評価の入力を容易に行うことができ、さらに設計における評価の遅れや漏れを防止することができる。
【発明を実施するための最良の形態】
【００１６】
以下、図面を参照して本発明を実施するための最良の形態について説明する。以下の実施の形態の構成は例示であり、本発明は実施の形態の構成に限定されない。まず、本発明の評価進捗管理装置の一実施形態について図１を参照して説明する。図１は、本発明の評価進捗管理装置の一実施形態の動作概念図である。なお、以下の本実施形態の評価進捗管理装置の説明については、車を設計する場合を例に説明する。
【００１７】
図１に示されるように、本発明の評価進捗管理装置の一実施形態（評価進捗管理装置１０１）には、初回の入力として、設計における各評価項目に対して各フェーズにおいて評価を行うために使用するツール、仕様、評価対象の部品が入力される。この入力は、例えば評価進捗管理装置を利用する利用者や設計者など（以下、利用者などとも記す）により行われる。
【００１８】
また、評価進捗管理装置１０１には、各評価項目に対する評価結果として、部品（担当者）別の評価結果や、フェーズ・ツール別の評価結果が入力される。ここで、本実施形態の評価進捗管理装置においては、各部品にそれぞれ担当者が設定されているため、部品別ということは担当者別と同じ意味である。評価結果とは、各評価項目に対して所定のツールによる評価が終了して基準を満たして評価が終了したか否かを示す情報である。
【００１９】
そして、本実施形態の評価進捗管理装置１０１は、出力として、評価進捗と他車進捗比較とを出力する。評価進捗とは、各評価項目について評価の終了の有無や評価の程度を記載したものである。また、他車進捗比較とは、現在設計している車の設計の進捗状況を、目標となる進捗状況や他の車の進捗状況とを比較した結果を示したものである。
【００２０】
出力される評価進捗には、各評価項目に対する、全フェーズの全てのツール、仕様、全ての部品に対する評価進捗を含んだ全体評価状況マトリクスや、各評価項目に対して、フェーズ・ツール別に評価進捗が示されているフェーズ・ツール別マトリクスや、各評価項目に対して部品別の評価進捗が示されている部品別マトリクスがある。
【００２１】
また、本実施形態の評価進捗管理装置１０１が出力する他車進捗比較には、評価進捗管理装置１０１に入力された評価項目に対する評価、進捗情報と、評価結果Ｄ／Ｂ１０２に格納された、目標となる評価進捗状況と、過去の設計に対する評価進捗状況とを比較した結果が含まれている。
【００２２】
次に、本発明の評価進捗管理装置の一実施形態の内部構成について図面を参照して説明する。図２は、本発明の評価進捗管理装置の一実施形態の内部構成のブロック図である。本発明の評価進捗管理装置の一実施形態は、評価進捗管理装置に種々の画面を表示させる表示部２０１と、設計の各フェーズにおける評価項目の評価に使用するツールの情報が入力されるツール設定部２０２と、設計対象の仕様の情報が入力される仕様設定部２０３とを備える。ここで、仕様とは、設計対象の種類のことであり、例えば国や地域別に仕様が異なりうるため、仕様として国や地域を表示する場合がある。
【００２３】
また、本発明の評価進捗管理装置の一実施形態は、各評価項目の評価の対象となる部品の情報が入力される部品設定部２０４と、フェーズ・ツール別マトリクスを表示する際に指定されるフェーズとツールとが入力されるフェーズ・ツール指定部２０５と、部品別マトリクスを表示する際に指定される部品の情報が入力される部品指定部２０６とを備える。
【００２４】
また、本発明の評価進捗管理装置の一実施形態は、設計の各フェーズ及びツール別の評価結果の情報が入力されるフェーズ・ツール別評価結果入力部２０７と、評価結果に対する部品別の評価結果の情報が入力される部品別評価結果入力部２０８とを備える。
【００２５】
また、本発明の評価進捗管理装置の一実施形態は、入力されたツールや、仕様や、部品の情報や、部品別の評価結果の情報や、フェーズ・ツール別の評価結果の情報や、目標となる進捗状況や他車の進捗状況などが記憶される記憶部２０９を備える。
【００２６】
また、表示部２０１は、各評価項目の評価に使用するツールや仕様や部品などを入力する設定マトリクスを表示する設定マトリクス表示部２１０と、フェーズ及びツール別にマトリクスを表示するフェーズ・ツール別マトリクス表示部２１１と、現在設計している車両と記憶部２０９に記憶されている目標となる進捗状況や他車の進捗状況とを比較して、例えばグラフなどにより比較結果を表示する進捗比較表示部２１２と、部品別の評価状況を示すマトリクスを示す部品別マトリクス表示部２１３と、全ての評価項目に対して、全部品、全フェーズの評価、進捗状況を示すマトリクスを表示する全体評価状況マトリクス表示部２１４とを備える。また、記憶部２０９は、部品別評価結果やフェーズ・ツール別評価結果などの評価結果を保存するデータベースである評価結果ＤＢ２１５を備える。
【００２７】
なお、図２に示される各部の機能の少なくとも一部を、ＣＰＵとメモリに格納されたプログラムとが協働することにより実現するとして良い。
【００２８】
次に、本発明の評価進捗管理装置の一実施形態の動作について図３を参照して説明する。図３は、本発明の評価進捗管理装置の一実施形態の動作のフローチャートである。図３に示されるように、本発明の評価進捗管理装置の一実施形態は、評価進捗管理装置の利用者などにより、評価進捗管理装置に、各評価項目に対して使用するチェックツール、仕様、部品などが入力される工程（Ｓ３０１）と、評価項目に対して部品別やフェーズ、ツール別に評価項目としていかなるものが設定されているのかを確認される工程（Ｓ３０２）と、評価を行った者などが、各評価項目に対して部品別やフェーズ、ツール別に評価結果を評価進捗管理装置に入力する工程（Ｓ３０３）と、評価進捗管理装置が評価進捗や他車進捗比較を出力する工程（Ｓ３０４）とを備える。
【００２９】
次に、本発明の評価進捗管理装置の一実施形態に表示される設定画面について図４を参照して説明する。図４は、本発明の評価進捗管理装置の一実施形態に表示される設定画面の概略図である。
【００３０】
図４に示されるように、本発明の評価進捗管理装置の一実施形態に表示される画面には、初回設定項目４０１と、フェーズ・ツール別評価項目確認・評価記入項目４０２と、部品別評価状況確認・評価記入項目４０３と、全体評価状況確認項目４０４とが表示される。
【００３１】
初回設定項目４０１とは、本実施形態の評価進捗管理装置の利用者などが、設定マトリクス表示ボタン４０５を押下することにより、各評価項目に対して使用するツール、仕様、部品を設定する設定マトリクスを表示する動作を示す項目である。また、フェーズ・ツール別評価項目確認・評価記入項目４０２とは、本実施形態の利用者などが、フェーズ・ツール別マトリクス表示ボタン４０６を押下することにより、フェーズ・ツール別の評価項目を確認し評価を記入するフェーズ・ツール別マトリクスを表示する動作を示す項目である。
【００３２】
部品別評価状況確認・評価記入項目４０３とは、本実施形態の評価進捗管理装置の利用者などが、部品別マトリクス表示ボタン４０７を押下することにより、部品別の評価状況を確認し評価を記入する部品別マトリクスを表示する動作を示す項目である。全体評価状況確認項目４０４とは、本実施形態の評価進捗管理装置の利用者などが、全体評価状況マトリクス表示ボタン４０８を押下することにより、全体評価状況を確認する全体評価状況マトリクスを表示する動作を示す画面である。
【００３３】
そして、初回設定項目４０１には、設定マトリクスを表示させるためのボタンである設定マトリクス表示ボタン４０５が表示されている。また、フェーズ・ツール別評価項目確認・評価記入項目４０２には、フェーズ・ツール別マトリクスを表示するためのフェーズ・ツール別マトリクス表示ボタン４０６が表示されている。
【００３４】
また、部品別評価状況確認・評価記入項目４０３には、部品別の評価状況のマトリクスを表示するための部品別マトリクス表示ボタン４０７が表示されている。また、全体評価状況確認項目４０４には、全体評価状況マトリクスを表示するためのボタンである全体評価状況マトリクス表示ボタン４０８が表示されている。
【００３５】
次に、図４に示される設定マトリクス表示ボタン４０５をマウスでクリックした際に、画面に表示される設定マトリクスについて図５を参照して説明する。図５は、本発明の評価進捗管理装置の一実施形態において使用される設定マトリクスの概略図である。
【００３６】
図５に示されるように、本実施形態の評価進捗管理装置の設定マトリクスには、評価項
目表示部５０１と、地域設定表示部５０２と、フェーズ表示部５０３と、ツール設定表示部５０４と、部品設定表示部５０５とが含まれる。
【００３７】
評価項目表示部５０１に表示される評価項目は、設計に対する評価を行う項目を示すものであり、例えば、本実施形態の評価進捗管理装置では、図５に示されるように、走行時又は停車時の異音や、夜間又は昼間の窓映りや、悪路における振動試験や、方法Ａや方法Ｂという方法による耐熱試験などがある。もちろん、本発明の評価進捗管理装置の一実施形態に使用される評価項目としては図５に示される場合に限定されるものではなく、その他の評価項目を使用するとしても良い。
【００３８】
地域設定表示部５０２に表示される地域設定とは、評価項目別に設計されている車の仕様を設定するための項目である。すなわち、設計されている車の仕様は地域によって異なるため、地域を指定することにより、設計されている車の仕様が設定されることとなる。この地域設定には、図５に示されるように、例えば、日本、米国、中国、欧州、その他などの項目がある。もちろん、本発明の評価進捗管理装置の一実施形態に使用される地域設定としてはこのような場合に限定されるものではなく、その他の地域設定を用いることもできる。このように、本実施形態では、各評価項目に対して、所定の仕様による評価が必要か否かを設定することができる。
【００３９】
フェーズ表示部５０３に表示されるフェーズとは、設計の段階を示すものであり、例えば開発の初期段階、中盤段階などがある。また、ツール設定表示部５０４に表示されるツール設定とは、各評価項目に対して使用する評価の道具としてのツールを設定するものである。
【００４０】
本発明の評価進捗管理装置の一実施形態で使用されるツールとして、図５に示されるように、例えば、全体のみばえなどを確認するための模型であるモックや、チェックする箇所が列挙されているチェックシートを用いての評価であるチェックシートや、図面をベースにして管理者にチェックを行ってもらうＤＲ（デザイン  レビュー）図面や、部品間の穴ずれや干渉などをチェックするＤＲ（デザイン  レビュー）ビューワや、各部品の動作の解析を行うＤＲ（デザイン  レビュー）ＣＡＤなどが挙げることができる。ただし、本発明の評価進捗管理装置の一実施形態に使用されるツールとしてはこれらのツールに限定されるものではなく、その他にも、耐熱性などの特性を計算するためのＣｏｍｐｕｔｅｒ
Ａｉｄｅｄ  Ｅｎｇｉｎｅｅｒｉｎｇ（ＣＡＥ）や、画面上での組み付け性を確認するためのＤｒｓｉｔａｌ  Ａｓｓｅｍｂｌｙ（ＤＡ）や、設計対象を実際に１つ作成する現物作成などを含ませることができる。もちろん、本発明の評価進捗管理装置の一実施形態では、これら以外のツールを用いることもできる。
【００４１】
また、部品設定表示部５０５に表示される部品設定とは、評価項目において評価される部品を設定する項目である。図５に示されるように、部品には、例えば部品Ａ、部品Ｂ、部品Ｃというように数種類存在し、それぞれの評価項目に対して、例えば、部品Ａが単独で評価されたり、部品Ａと部品Ｂとが組み合わされて評価されたりする。
【００４２】
次に、図５に示される設定画面を利用した、評価項目に対する設定動作について図６を参照して説明する。図６は、本発明の評価進捗管理装置の一実施形態における、評価項目に対するツール、仕様、部品の設定画面の概略図である。
【００４３】
図６に示されるように、まず、本実施形態の評価進捗管理装置の利用者などは、ツールを設定する場合、各評価項目に使用するツールと使用しないツールとを選別し、例えば使用しないツールの部分をマウスでクリックすることにより選択して、非選択状態にする。なお、図６において、ハッチングされている部分が非選択の部分であることを示す。この
ツールの選択は、例えば設計している車別に行ったり、各評価項目別に行つたり、各フェーズ別に行うとしても良い。
【００４４】
例えば図６に示される例では、夜間の窓映りの評価項目におけるモックがフェーズ１において非選択のツールとなっており、ＤＲ図面がフェーズ１において非選択のツールとなっている。このツールの選択により本実施形態の評価進捗管理装置に、設計の各フェーズにおける評価項目の評価に使用するツールの情報が入力される。
【００４５】
また、本実施形態の評価進捗管理装置の利用者は、仕様を選択する場合、地域設定と表示されている項目のうち、使用する仕様を車別に又は各評価項目別に、例えばマウスでクリックすることにより選択する。例えば、図５に示されるように、現在設計している車が欧州仕様のものであれば、日本、北米、中国、欧州、その他のうち、欧州のみを選択状態とし、他を非選択状態とする。また、評価項目別に、各地域に対して評価を行う必要の無い評価項目を非選択状態としても良い。この地域の選択により、本発明の評価進捗管理装置の一実施形態に、設計対象の仕様の情報が入力される。
【００４６】
また、本実施形態の評価進捗管理装置の利用者は、部品を選択する場合、車別に又は各評価項目別に評価される部品を例えばマウスでクリックすることにより選択する。例えば、図６に示される例では、部品Ａが、停車時の異音に対してフェーズ１では非選択となっており、部品Ｃがフェーズ１において車全体で非選択となっているため、停車時の異音の評価の際には、部品Ａと部品Ｃとは評価の対象とならない。この部品の選択により、本発明の評価進捗管理装置の一実施形態に、各評価項目の評価の対象となる部品の情報が入力される。
【００４７】
このようにして、本実施形態の評価進捗管理装置の利用者は、それぞれの設計している車に対して、各評価項目別に各フェーズで評価に使用するツール、仕様、部品を設定する。また、本実施形態の評価進捗管理装置では、仕様は各フェーズ別に上記設定を行っていない。本実施形態の評価進捗管理装置において、仕様の選択についてフェーズ別に選択を行っていないのは、仕様については設計の進行段階（フェーズ）により変化しないからである。
【００４８】
次に、本発明の評価進捗管理装置の一実施形態において表示されるフェーズ・ツール別マトリクスについて図７を参照して説明する。図７は、本発明の評価進捗管理装置の一実施形態において表示されるフェーズ・ツール別マトリクスの概略図である。
【００４９】
図７に示されるように、本実施形態のフェーズ・ツール別マトリクスには、利用者などにより指定されたフェーズを表示するフェーズ表示部７０１と、利用者により指定されたツールを表示するツール表示部７０２と、評価項目表示部７０３と、地域を表示する地域表示部７０４と、部品を表示する部品表示部７０５とを備える。
【００５０】
図７に示されるように、本実施形態の利用者などは、フェーズとツールとを指定することにより、各評価項目に対して、指定されたフェーズ及び指定されたツールにおける評価する部品を確認することができる。例えば、図７に示される例では、フェーズ１のモックが指定されている状態において、部品Ａに対して停車時の異音が非選択状態（ハッチ状態）７０６となっているため、部品Ａについては、フェーズ１においてモックによる評価が不要となっている。
【００５１】
また、本発明の評価進捗管理装置の一実施形態では、本実施形態の利用者などは、図７に示されるマトリクスを用いて、フェーズ及びツール別に各評価項目に対する評価結果を記入することができる。図７に示される例では、部品Ｂに対して、走行時の異音が評価が
終了したことを示す丸印７０７が記入され、停車時の異音が基準を満たしていないことを示すＮＧ表示７０８が記入されている。
【００５２】
次に、本発明の評価進捗管理装置の一実施形態において表示される部品別マトリクスについて図８を参照して説明する。図８は、本発明の評価進捗管理装置の一実施形態において表示される部品別マトリクスの概略図である。
【００５３】
図８に示されるように、本実施形態の部品別マトリクスには、利用者により指定された部品を表示する部品表示部８０１と、評価項目を表示する評価項目表示部８０２と、地域を表示する地域表示部８０３と、フェーズを表示するフェーズ表示部８０４と、ツールを表示するツール表示部８０５とを備える。
【００５４】
図８に示されるように、本実施形態の利用者などは、部品を指定することにより、指定された部品に対して、地域別、フェーズ別に各評価項目に対して評価するツールを確認することができる。例えば、図８に示される例では、部品Ａが指定されている状態において、ツール１に対して夜間の窓映りが非選択状態（ハッチ状態）８０６となっており、夜間の窓映りについては、部品Ａに対して、地域１、フェーズ１においてツール１による評価が不要となっている。
【００５５】
また、本発明の評価進捗管理装置の一実施形態では、図８に示される部品別マトリクスを用いて、部品別に各評価項目に対する評価結果を記入することができる。図８に示される例では、ツール２に対して、走行時の異音が評価が終了したことを示す丸印８０７が記入され、停車時の異音が基準を満たしていないことを示すＮＧ表示８０８が記入されている。
【００５６】
次に、本発明の評価進捗管理装置の一実施形態において出力される全体評価状況マトリクスについて図９を参照して説明する。図９は、本発明の評価進捗管理装置の一実施形態において出力される全体評価状況マトリクスの概念図である。
【００５７】
図９に示されるように、本発明の評価進捗管理装置の一実施形態における全体評価状況マトリクスには、評価項目を表示するための評価項目表示部９０１と、地域を設定するための地域設定表示部９０２と、フェーズを表示するためのフェーズ表示部９０３と、部品を表示するための部品表示部９０４と、評価に使用するツールを表示するためのツール表示部９０５とを備える。
【００５８】
図９に示される全体評価状況マトリクスでは、評価が終了した評価項目に対しては丸印が記入されている。例えば、図９に示される例では、走行時の異音に対して、フェーズ１における部品Ａに対してモックによる評価が終了しているため、丸印９０６が記入されている。同様に、図９に示される例では、走行時の異音に対して、フェーズ１における部品Ａに対してチェックシートによる評価が基準を満たさなかったため、ＮＧ表示９０７が記入されている。また、図９において、ハッチされている部分は、評価の対象となっていない部分である。
【００５９】
次に、本発明の評価進捗管理装置において出力される他車進捗比較結果について図１０を参照して説明する。図１０は、本発明の評価進捗管理装置の一実施形態において出力される進捗比較結果のグラフである。
【００６０】
図１０に示されるように、本発明の評価進捗管理装置の一実施形態では、記憶されている目標となる進捗状況又は他車の進捗状況に対して、現在設計している車の進捗状況がどのような状況になっているのかについてフェーズの移行状態に応じて出力している。例え
ば図１０に示されるグラフでは、設計中の車の進捗状況のグラフ１００１と、予め記憶されている目標となる進捗状況のグラフ１００２と、他車の進捗状況のグラフ１００３とが表示されている。本発明の評価進捗管理装置の一実施形態では、評価の比較は、例えば各フェーズにおいて終了した評価項目の数を比較することにより行われる。
【００６１】
このように、本発明の評価進捗管理装置の一実施形態によれば、設計の各評価項目に対して各フェーズで使用するツール、仕様、部品を設定し、さらに、利用者などがフェーズと評価に使用するツールとを指定して評価項目の確認や評価の記入を行うことができると共に、利用者が部品を指定して評価項目の確認や記入を行うことができるため、各評価項目に対する評価の漏れや遅れを防止することができると共に、現在どの程度評価進捗が行われているのかを確認することにより、設計の評価の漏れや遅れを防止することができる。
【００６２】
また、本発明の被装着装置の一実施形態では、現在設計中の車の評価進捗状況を目標となる進捗状況や他車の進捗状況と比較し、この比較結果をグラフとして出力することができるため、利用者などは現在の設計が他車の進捗状況や基準となる進捗状況と比べて遅れているのか進んでいるのかを的確に把握することができ、設計の進捗が遅れていればその対処をするなどして、設計の漏れや遅れを防止することができる。
【００６３】
なお、上記本発明の評価進捗管理装置の一実施形態では、フェーズとツールとを指定して評価進捗状況を確認する場合と、部品を指定して評価進捗状況を確認し評価結果を入力する場合とを示したが、本発明の評価進捗管理装置はこのような場合に限定されるものではなく、その他にも、フェーズのみを指定しフェーズ別の各評価項目の評価進捗状況を確認し評価結果を入力する場合や、評価項目の評価に使用するツールのみを指定して評価項目に対する評価進捗状況を確認し評価結果を入力する場合や、フェーズと部品とを指定して評価進捗状況を確認し評価結果を入力する場合なども実施することができる。
【００６４】
また、上記本発明の評価進捗管理装置の一実施形態では、設定マトリクスなどの各マトリクスを評価進捗管理装置の画面に表示する場合を例に説明したが、本発明はこのような場合に限定されるものではなく、例えばこれらのマトリクスの少なくとも一つを紙などの媒体にプリントアウトするとして出力するとしても良い。この場合、図２に示される構成に、このような出力を行う出力部が含まれることとなる。
【図面の簡単な説明】
【００６５】
【図１】本発明の評価進捗管理装置の一実施形態の動作概念図である。
【図２】本発明の評価進捗管理装置の一実施形態の内部構成のブロック図である。
【図３】本発明の評価進捗管理装置の一実施形態の動作のフローチャートである。
【図４】本発明の評価進捗管理装置の一実施形態に表示される設定画面の概略図である。
【図５】本発明の評価進捗管理装置の一実施形態において使用される設定マトリクスの概略図である。
【図６】本発明の評価進捗管理装置の一実施形態における、評価項目に対するツール、仕様、部品の設定画面の概略図である。
【図７】本発明の評価進捗管理装置の一実施形態において表示されるフェーズ・ツール別マトリクスの概略図である。
【図８】本発明の評価進捗管理装置の一実施形態において表示される部品別マトリクスの概略図である。
【図９】本発明の評価進捗管理装置の一実施形態において出力される全体評価状況マトリクスの概念図である。
【図１０】本発明の評価進捗管理装置の一実施形態において出力される進捗比較結果のグラフである。
【符号の説明】
【００６６】
１０１  評価進捗管理装置
１０２  評価結果Ｄ／Ｂ
２０１  表示部
２０２  ツール設定部（ツール設定手段）
２０３  仕様設定部
２０４  部品設定部（部品設定手段）
２０５  フェーズ・ツール指定部(ツール指定手段)
２０６  部品指定部（部品指定手段）
２０７  フェーズ・ツール別評価結果入力部（ツール別評価結果入力手段）
２０８  部品別評価結果入力部（部品別評価結果入力手段）
２０９  記憶部
２１０  設定マトリクス表示部
２１１  フェーズ・ツール別マトリクス表示部（ツール別マトリクス出力手段）
２１２  進捗比較表示部（進捗比較出力手段）
２１３  部品別マトリクス表示部（部品別マトリクス出力手段）
２１４  全体評価状況マトリクス表示部（全体評価状況マトリクス出力手段）
２１５  評価結果ＤＢ
４０１  初回設定項目
４０２  フェーズ・ツール別評価項目確認・評価記入項目
４０３  部品別評価状況確認・評価記入項目
４０４  全体評価状況確認項目
４０５  設定マトリクス表示ボタン
４０６  フェーズ・ツール別部品マトリクス表示ボタン
４０７  部品別評価状況マトリクス表示ボタン
４０８  全体評価状況マトリクス表示ボタン
５０１  評価項目表示部
５０２  地域設定表示部
５０３  フェーズ表示部
５０４  ツール設定表示部
５０５  部品設定表示部
７０１  フェーズ表示部
７０２  ツール表示部
７０３  評価項目表示部
７０４  地域表示部
７０５  部品表示部
７０６  非選択状態
７０７  丸印
７０８  ＮＧ表示
８０１  部品表示部
８０２  評価項目表示部
８０３  地域表示部
８０４  フェーズ表示部
８０５  ツール表示部
８０６  非選択状態
８０７  丸印
８０８  ＮＧ表示
９０１  評価項目表示部
９０２  地域設定表示部
９０３  フェーズ表示部
９０４  部品表示部
９０５  ツール表示部
９０６  丸印
９０７  ＮＧ表示
１００１  設計中の車の進捗状況のグラフ
１００２  目標となる進捗状況のグラフ
１００３  他車の進捗状況のグラフ
【図１】
2007233799.tif 000003
【図２】
2007233799.tif 000004
【図３】
2007233799.tif 000005
【図４】
2007233799.tif 000006
【図５】
2007233799.tif 000007
【図６】
2007233799.tif 000008
【図７】
2007233799.tif 000009
【図８】
2007233799.tif 000010
【図９】
2007233799.tif 000011
【図１０】
2007233799.tif 000012